(57)【要約】【課題】    吹き矢の初心者でも簡単に、筋力強化や慣れを必要とせずに、吹き筒に装着するだけで、すぐに構えを安定させられる吹き筒の安定器を得ることである。【解決手段】  吹き筒１に牙型をした固定牙型安定器３ａと可動牙型安定器３ｂを、牙型の湾曲方向が向き合うように組み合わせて取り付け、二つの牙型安定器の間を固定牙型安定器３ａに内蔵し、常に、固定牙型安定器３ａの中に戻ろうとする力が働いている巻き取り装置につながった伸縮ベルト６で結んだ構造で、それぞれの牙型安定器を、前後、別々に押す両手の力によって構えを安定させる仕組みの牙型安定器とした。【選択図】図２
0003157308.tif 000002
【実用新案登録請求の範囲】
【請求項１】
吹き筒１に牙型をした固定牙型安定器３ａと可動牙型安定器３ｂを、牙型の湾曲方向が向き合うように組み合わせて取り付け、二つの牙型安定器の間を固定牙型安定器３ａに内蔵し、常に、固定牙型安定器３ａの中に戻ろうとする力が働いている巻き取り装置につながった伸縮ベルト６で結び、可動牙型安定器３ｂを前方に押すと、伸縮ベルト６を引いてスライド移動する構造なので、使用時には、可動牙型安定器３ｂを前方向に押す力と固定牙型安定器３ａを手前の口元方向に引く力を両手が別々に発揮しないと構えることができず、それぞれの牙型安定器を、前後、別々に押す両手の力によって構えを安定させる仕組みで、使用時以外は、可動牙型安定器３ｂは、固定牙型安定器３ａ内の巻き取り装置に伸縮ベルト６を引き戻されて、固定牙型安定器３ａ側に寄り添った状態となる構造の牙型安定器。
【考案の詳細な説明】
【技術分野】
【０００１】  本考案は、吹き矢の狙いを付ける時に、吹き筒の手振れをなくして構えを安定させる吹き筒の安定器に関するものである。
【背景技術】
【０００２】  スポーツとしての吹矢が普及しているが、吹き矢の狙いを付ける時、吹き口を口に付けた状態で吹き筒の構えを安定させることは、大変、困難で、手振れが発生してしまったり、吹く瞬間に顔が動いて、その影響で、振れてしまったりと、単に丸い筒である吹き筒を下から支えて安定して構えるには、練習を重ねることに加え、人によっては、腕の筋力強化さえ必要となることもある。【０００３】  市販されている吹き筒は、吹き口が付いている物はあるが、ほとんどが筒だけである。
筒の中央に差し込むウレタンスポンジ製の短い筒が別売りになっている物もあるが、これは、滑り止めである。何とか、吹き筒の構えを安定させようとしたものとしては、Ｔ字型に組んだ筒の横棒部分に吹き筒を挿してねじで留めるグリップアタッチメントなる物が市販されているが、慣れれば構えを安定させることができるものの、すぐに効果の出る物ではない。その他、吹き筒安定器としての特許文献は見あたらない。
【考案の開示】
【考案が解決しようとする課題】
【０００４】  真っ直ぐな管である吹き筒の吹き口を口にくわえた状態で、吹き矢の初心者でも簡単に、筋力強化や慣れを必要とせずに、吹き筒に装着することで、すぐに構えを安定させられる吹き筒の安定器を得ることである。
【課題を解決するための手段】
【０００５】  本考案は、吹き筒１に牙型をした固定牙型安定器３ａと可動牙型安定器３ｂを、牙型の湾曲方向が向き合うように組み合わせて取り付け、二つの牙型安定器の間を固定牙型安定器３ａに内蔵し、常に、固定牙型安定器３ａの中に戻ろうとする力が働いている巻き取り装置につながった伸縮ベルト６で結び、可動牙型安定器３ｂを前方に押すと、伸縮ベルト６を引いてスライド移動する構造なので、使用時には、可動牙型安定器３ｂを前方向に押す力と固定牙型安定器３ａを手前の口元方向に引く力を両手が別々に発揮しないと構えることができず、それぞれの牙型安定器を、前後、別々に押す両手の力によって構えを安定させる仕組みで、使用時以外は、可動牙型安定器３ｂは、固定牙型安定器３ａ内の巻き取り装置に伸縮ベルト６を引き戻されて、固定牙型安定器３ａ側に寄り添った状態となる構造の牙型安定器。
【考案の効果】
【０００６】  本考案の牙型筒安定器は、両手がそれぞれに、口元に引く力と前に押す力を発揮しなければ構えることができない構造なので、構えを安定させることが難しい筋力の乏しい人やお年寄り等、誰でも、筋力強化も慣れも必要とせず、本考案の牙型安定器を装着しただけで、すぐに構えを安定させることができ命中率の向上が図れる。吹き矢の初心者が、狙いの感覚を身につけるための助けになり、吹き矢を始めても、命中率の低さから、嫌気が差して止めてしまうと言うようなことを防ぐために役立つ。
【考案を実施するための最良の形態】
【０００７】  本考案の牙型安定器は、吹き筒１の先端方向には一定の位置より先に可動牙型安定器３ｂが行かないように止め輪５で止め、固定牙型安定器３ａ内臓の伸縮ベルト終端６ａを可動牙型安定器３ｂのベルト終端取り付け穴３ｅに取り付け、固定牙型安定器３ａは、吹き口よりわずか先の位置に固定牙型安定器３ａの前後を挟むように、二つの止め輪５で固定し、固定牙型安定器３ａ内には、巻き尺に似た巻き取り機構を内蔵し、可動牙型安定器３ｂを前方向に動かした場合、ゼンマイにより、常に縮もうとする力が働く伸縮ベルト６が引き出されるので、口元の固定牙型安定器３ａを持つ手は口元方向に、可動牙型安定器３ｂを持つ手は前方向に押さなければ構えることができなくなり、両手が反対方向に発揮する力により筋力強化も慣れも必要とせず自然に構えが安定する。
【実施例】
【０００８】  以下、添付図面に従って実施例を説明する。図１は、牙型安定器の装着斜視図であり、構えた時に伸縮ベルト６が伸びた状態を示す斜視図である。図２は、牙型安定器の装着側面図であり、構えた時に伸縮ベルト６が伸びた状態を示す側面図である。図３は、固定牙型安定器の分解斜視図であり、固定牙型安定器３ａの内部構造を示す斜視図である。図４は、固定牙型安定器３ａの外観斜視図であり、図３で示した各部品を組み上げた斜視図である。図５は、可動牙型安定器の分解斜視図であり、可動牙型安定器３ｂの内部構造を示す斜視図である。図６は、可動牙型安定器の組立斜視図であり、図５で示した各部品を組み上げた斜視図である。図７は、牙型安定器の装着可動斜視図であり、可動牙型安定器３ｂの動きを示す斜視図である。図８は、牙型安定器の使用側面図であり、両手の力の入れ方を示す図である。図９は可動牙型安定器の移動側面図であり、保管時の可動牙型安定器３ｂの動きを示す側面図である。図１０は、簡易牙型安定器の分解斜視図であり、伸縮ベルトを持たないシンプルな簡易牙型安定器３ｈである。図１１は、簡易牙型安定器の組立斜視図であり、図１０の部品を組み立てたものである。図１２は、簡易牙型安定器の装着斜視図であり、二つの簡易牙型安定器３ｈを吹き筒１に装着したものである。図１３は、簡易牙型安定器の使用側面図であり、伸縮ベルトがないため、故意の、力の入れ方を説明する図である。図１４は、簡易牙型安定器の移動側面図であり、収納の際の移動のさせ方を示す図である。図１５は、プレート式簡易牙型安定器の分解斜視図であり、少量生産型の構造を示すものである。図１６は、プレート式簡易牙型安定器の組立斜視図である。【０００９】  図１は牙型安定器の装着斜視図であり、構えた時の部品の位置関係を表す図である。構えた時の両手がそれぞれに反対方向に力を加えるために、可動牙型安定器３ｂは、止め輪５の位置より前方向には行けずに止まり、図に示すような止め輪５手前の位置に可動牙型安定器３ｂが位置することになる。伸縮ベルト６は、常に、可動牙型安定器３ｂを、両側を止め輪５で挟んで固定した固定牙型安定器３ａ方向に引き寄せようとする力で張っている状態である。図２は、牙型安定器の装着側面図であり、図１に示す状態を側面から見た図である。【００１０】  図３は、固定牙型安定器の分解斜視図であり、固定牙型安定器３ａの内部構造を示す斜視図である。筒通し２の側面に掘った接着溝２ａと固定牙型安定器３ａ上部の接着レール３ｆを接着し、筒通し２と固定牙型安定器３ａは一体化する。固定牙型安定器３ａの中央には巻き取り穴３ｇが空き、巻き取り穴３ｇ上部から前方向に伸縮ベルト６を導き出すスリットを貫通させ、巻き取り穴３ｇ内部にゼンマイ固定軸８に巻き付いたゼンマイ７とゼンマイ７の先端につなげた伸縮ベルト６を収納する。伸縮ベルト６の終端には、円柱状のベルト終端６ａが取り付く。ゼンマイ７と伸縮ベルト６の両側面には摩擦軽減のための滑り板９を挟んで蓋３ｃで固定牙型安定器３ａの両側面をふさぎ、蓋３ｃ中央に開いた軸通し穴３ｄから出たゼンマイ固定軸８の両端ねじ部を袋ナット４で固定締めする。図３に示す部品を組み上げると、伸縮ベルト６巻き取り機構は固定牙型安定器３ａ内に格納され、図４に示すような形状になる。図４は、固定牙型安定器の組立斜視図であるが、伸縮ベルト６は引き出した状態で示している。図５は、可動牙型安定器の分解斜視図であるが、可動牙型安定器３ｂの内部構造を示す斜視図である。筒通し２の側面に掘った接着溝２ａと固定牙型安定器３ａ上部の接着レール３ｆを接着し、筒通し２と可動牙型安定器３ｂは一体化する。可動牙型安定器３ｂの上部前方には伸縮ベルト６終端のベルト終端６ａを挿入するためのベルト終端取付穴３ｅを開け、ベルト終端取付穴３ｅの前方に向け伸縮ベルト６を通すためのスリットを貫通させ、ベルト終端６ａを取り付けたら、蓋３ｃで可動牙型安定器３ｂの両側面をふさぎ、袋ビス４ａを片側の蓋３ｃの中央に開けた軸通し穴３ｄに差し込み、可動牙型安定器３ｂの軸通し穴３ｄと、反対側の、蓋３ｃの軸通し穴３ｄに差した後、袋ナット４で固定締めする。図５に示す部品をくみ上げると、ベルト終端６ａが取り付いた図６に示すような形状になる。図６は、可動牙型安定器の組立斜視図であるが、伸縮ベルト６が取り付いた状態である。【００１１】  図７は、牙型安定器の装着可動斜視図であるが、装着した可動牙型安定器３ｂの動きを示す斜視図である。伸縮ベルト６の張力により可動牙型安定器３ｂは、常に固定牙型安定器３ａ側に引かれた状態にある。従って、吹き筒を構えるときは、その伸縮ベルト６の張力に抗する力を加えて可動牙型安定器３ｂを一定の位置に保持する必要があるが、その一定の位置に保持するためのストッパーが止め輪５である。図８は、牙型安定器の使用側面図であるが、吹き筒を構えるとき、伸縮ベルト６の縮もうとする張力に反する前方向の力を可動牙型安定器に掛け、その可動牙型安定器に掛けた力と同等の手前方向の力を掛けることをしなければ構えていられない。このことによって、唯、下から吹き筒を支えているだけの構えに比較して、腕や手の振れがなくなり、筒が安定して的を狙えることになる。
図９は、可動牙型安定器の移動側面図であるが、保管時には、伸縮ベルト６の張力により可動牙型安定器３ｂは固定牙型安定器３ａ方向に引き寄せられ、二つの牙型安定器は、図に示すような寄り添う位置となる。【００１２】  図１０は、簡易牙型安定器の分解斜視図であるが、固定、可動の両牙型安定器とも、伸縮ベルトと巻き取り装置を内蔵せず、筒通し２の側面に掘った接着溝２ａと簡易牙型安定器３ｈ上部の接着レール３ｆを接着しただけのものを使う簡易牙型安定器の分解斜視図である。図１１は、簡易牙型安定器の組立斜視図であるが、とても、シンプルな形状になる。図１２は、簡易牙型安定器の装着斜視図であるが、伸縮ベルトがないので前方の簡易牙型安定器３ｈは、止め輪５のストッパーの役割によって位置が決まり、手前の簡易牙型安定器３ｈは、両側から止め輪５で挟んで固定し、構える時は、意識して前方の簡易牙型安定器３ｈを前方向に押し、口元の簡易牙型安定器３ｈを手前に引くように力を込めて構える使い方になる。図１３は、簡易牙型安定器の使用側面図であり、構える時の力の入れ方を側面から見た図である。図１４は、簡易牙型安定器３ｈの移動側面図であり、前方の簡易牙型安定器３ｈは、点線で示す伸縮ベルト６がないので、自動的に矢印に示す方向に引かれることはないが、止め輪５が前方にしかないためスライドさせることは可能であり、手動によって吹き口側の簡易牙型安定器３ｈに寄せて保管することができる。【００１３】  図１５は、プレート式簡易牙型安定器の分解斜視図である。簡易牙型安定器では、必ずしも、大量生産向けの成型品である必要はなく、少量生産の場合、製造コストを下げるために、金属やプラスチックなどのプレートなどでプレート式簡易牙型安定器３ｉを作成し、スライドさせることで吹き筒１を傷つけないための筒通し２を樹脂板や紙板で作成し、吹き筒１を包み込み、手触りのよい樹脂板や木板などで蓋３ｃを作成して、プレート式簡易牙型安定器３ｉの牙部分を両側から挟み込んで貼り付け、袋ビス４ａと袋ナット４で締め付け固定する。図１６は、プレート式簡易牙型安定器の組立斜視図であり、図１５に示す部品をくみ上げた状態を示す図である。
【産業上の利用可能性】
【００１４】  吹矢は、腹式呼吸と胸式呼吸の両方を使い、健康増進や、精神集中力を高める効果が有り、スポーツとして普及されてはいるものの、吹き筒に吹き込む息の強さやタイミングを、修練によって掴まなければならないし、特に、狙いの付け方が難しく、従来通りの吹き筒を下から支えるだけの構え方では、どうしても腕の振れや手先の振れが発生し、手振れを防ごうと思えば、長期の鍛錬か、筋力トレーニングにより筋肉を増強させるしかなく、手振れを防げず、的中率が低いがゆえに、途中で挫折してしまい、長続きしないで終わってしまうこともあったが、初心者が、本考案の牙型安定器を使用することで、前方向と手前方向に左右それぞれの手が、それぞれの違った方向に力を込めるため、誰でも、牙型安定器を装着した、その瞬間から手振れがなくなり、命中率が上がり、驚きと同時に面白さを覚え長続きすることになり、子供達の精神集中力の向上や高齢者の健康維持や健康増進に大いに役立つ。
【図面の簡単な説明】
【００１５】
【図１】牙型安定器の装着斜視図である。
【図２】牙型安定器の装着側面図である。
【図３】固定牙型安定器の分解斜視図である。
【図４】固定牙型安定器の組立斜視図である。
【図５】可動牙型安定器の分解斜視図である。
【図６】可動牙型安定器の組立斜視図である。
【図７】牙型安定器の装着可動斜視図である。
【図８】牙型安定器の使用側面図である。
【図９】可動牙型安定器の移動側面図である。
【図１０】簡易牙型安定器の分解斜視図である。
【図１１】簡易牙型安定器の組立斜視図である。
【図１２】簡易牙型安定器の装着斜視図である。
【図１３】簡易牙型安定器の使用側面図である。
【図１４】簡易牙型安定器の移動側面図である。
【図１５】プレート式簡易牙型安定器の分解斜視図である。
【図１６】プレート式簡易牙型安定器の組立斜視図である。
【符号の説明】
【００１６】１    吹き筒
２    筒通し
２ａ  接着溝
３ａ  固定牙型安定器
３ｂ  可動牙型安定器
３ｃ  蓋
３ｄ  軸通し穴
３ｅ  ベルト終端取付穴
３ｆ  接着レール
３ｇ  巻き取り穴
３ｈ  簡易牙型安定器
３ｉ  プレート式簡易牙型安定器
４    袋ナット
４ａ  袋ビス
５    止め輪
６    伸縮ベルト
６ａ  ベルト終端
７    ゼンマイ
８    ゼンマイ固定軸
９    滑り板
【図１】
0003157308.tif 000003
【図２】
0003157308.tif 000004
【図３】
0003157308.tif 000005
【図４】
0003157308.tif 000006
【図５】
0003157308.tif 000007
【図６】
0003157308.tif 000008
【図７】
0003157308.tif 000009
【図８】
0003157308.tif 000010
【図９】
0003157308.tif 000011
【図１０】
0003157308.tif 000012
【図１１】
0003157308.tif 000013
【図１２】
0003157308.tif 000014
【図１３】
0003157308.tif 000015
【図１４】
0003157308.tif 000016
【図１５】
0003157308.tif 000017
【図１６】
0003157308.tif 000018